(57)【要約】【課題】レーザー光を光源とする照明装置において、人の目に対する安全性を高める。【解決手段】レーザー光Ｌを光源とする照明装置１００であって、レーザー光Ｌとは異なる波長の光を放射する発光部１０４と、発光部１０４に対しレーザー光Ｌが照射される側とは反対側に配置され、発光部１０４から放射される光の配光を制御する配光制御構造１１１を有するレンズ１０１とを備え、レンズ１０１は、レーザー光Ｌの光軸Ａが通過する部分に、レーザー光Ｌを散乱する構造である光散乱構造１１２を一体に備える。【選択図】図２
2017079203.tif 000002
【特許請求の範囲】
【請求項１】
レーザー光を光源とする照明装置であって、
前記レーザー光が照射されることにより前記レーザー光とは異なる波長の光を放射する発光部と、
前記発光部に対し前記レーザー光が照射される側とは反対側に配置され、前記発光部から放射される光の配光を制御する配光制御構造を有するレンズとを備え、
前記レンズは、
前記レーザー光の光軸が通過する部分に、前記レーザー光を散乱する構造である光散乱構造を一体に備える
照明装置。
【請求項２】
前記レンズは、
片方の面には前記配光制御構造を備え、もう一方の面には前記光散乱構造を備える
請求項１に記載の照明装置。
【請求項３】
前記レンズは、
一方の面に前記配光制御構造、および、前記光散乱構造を備える
請求項１に記載の照明装置。
【請求項４】
前記光散乱構造は、レーザー光に対応した回折格子を形成する
請求項１〜３のいずれか１項に記載の照明装置。
【請求項５】
前記光散乱構造は、レーザー光が光散乱構造を通過した際に所定のパターンを照射できる構造を一部に備える
請求項１〜４のいずれか１項に記載の照明装置。
【請求項６】
前記光散乱構造は、前記レーザー光の光軸に近づくほど構造単位が段階的に小さくなる請求項１〜５のいずれか１項に記載の照明装置。
【請求項７】
前記光散乱構造は、前記レーザー光の光軸に近づくほど構造単位が連続的に小さくなる請求項１〜５のいずれか１項に記載の照明装置。
【発明の詳細な説明】
【技術分野】
【０００１】
本発明は、レーザー光を光源とする照明装置に関する。
【背景技術】
【０００２】
従来、光ファイバーにより伝送されるレーザー光を励起光として発光する蛍光体を含有する発光部を備え、レーザー光を所望の光色に変換して照明する照明装置がある。この励起光として用いられるレーザー光はエネルギー密度が高いため、発光部が脱落した場合においてもレーザー光が直接人の目に入射することのない技術が必要となる。
【０００３】
例えば、特許文献１には、酸化シリコンや酸化チタンの微細粒子を分散配置させた光散乱材を発光部のレーザー光が照射される側と反対側に配置し、発光部に割れが生じたり、発光部が脱落などした際にレーザー光のコヒーレンスを低減する技術が記載されている。
【先行技術文献】
【特許文献】
【０００４】
【特許文献１】特開２０１１−１５４９９５号公報
【発明の概要】
【発明が解決しようとする課題】
【０００５】
ところが、従来の技術のように発光部に光散乱材が取り付けられる場合は、発光部の脱落と共に光散乱材も脱落するため、非常の際のバックアップとして光散乱材が機能せず、また、光散乱材がその他の場所に取り付けられる場合は、発光部よりも前に光散乱材が脱落したりその機能を発揮できない状態になる可能性も考えられる。
【０００６】
そこで本発明は、レーザー光を光源とする照明装置でありながら、人の目に対する安全性を高めることのできる照明装置の提供を目的とする。
【課題を解決するための手段】
【０００７】
本発明の一態様に係る照明装置は、レーザー光を光源とする照明装置であって、前記レーザー光が照射されることにより前記レーザー光とは異なる波長の光を放射する発光部と、前記発光部に対し前記レーザー光が照射される側とは反対側に配置され、前記発光部から放射される光の配光を制御する配光制御構造を有するレンズとを備え、前記レンズは、前記レーザー光の光軸が通過する部分に、前記レーザー光を散乱する構造である光散乱構造を一体に備える。
【発明の効果】
【０００８】
本発明の一態様に係る照明装置によれば、レーザー光を散乱する光散乱構造が比較的大型の構造物であるレンズに一体に設けられているため、レーザー光の光軸から光散乱構造が脱落などする可能性を低減し、照明装置の安全性を高めることができる。
【図面の簡単な説明】
【０００９】
【図１】実施の形態に係る照明装置の外観を示す斜視図である。
【図２】実施の形態に係る照明装置の断面図である。
【図３】実施の形態に係るレンズの配光制御構造を示す断面図である。
【図４】実施の形態に係るレンズの光散乱構造を示す断面図である。
【図５】実施の形態に係る照明装置から発光部が脱落した状態を示す断面図である。
【図６】他の実施の形態に係る照明装置の断面図である。
【図７】配光制御構造の構造単位の面積の分布を模式的に示す図である。
【図８】他の実施の形態に係るレンズの形状を示す図である。
【図９】他の実施の形態に係るレンズの形状を示す図である。
【図１０】照明装置の使用態様を模式的に示す図である。
【図１１】光散乱構造における特殊な賦形形状による照射パターンを示す図である。
【図１２】光散乱構造の構造単位の面積の分布を模式的に示す図である。
【図１３】光散乱構造の構造単位の面積の分布を模式的に示す図である。
【図１４】他の実施の形態に係る照明装置の断面図である。
【発明を実施するための形態】
【００１０】
以下では、本発明の実施の形態に係る照明装置について、図面を用いて説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
（実施の形態）
以下、実施の形態について説明する。
【００１３】
［照明装置の構成］
図１は、照明装置の外観を示す斜視図である。
【００１４】
図２は、照明装置の断面図である。
【００１５】
これらの図に示すように、照明装置１００は、レーザー光Ｌを光源として可視光を放射する装置であって、発光部１０４と、レンズ１０１とを備えている。また本実施の形態の場合、照明装置１００は、筐体１０２と、光学系１０５と、ファイバー取付部１０６とを備えている。
【００１６】
発光部１０４は、図２に示すように、レーザー光Ｌが照射されることによりレーザー光Ｌとは異なる波長の光を放射するものである。発光部１０４は、例えば、レーザー光Ｌによって励起されて蛍光を放射する蛍光体の粒子を分散状態で備えており、レーザー光Ｌの照射により蛍光体がレーザー光Ｌとは異なる波長の蛍光を放射する。具体的に、発光部１０４は、透明な樹脂やガラスからなる基材の内部に蛍光体の粒子が分散されているもの、または、蛍光体の粒子を固めたもの等を例示できる。つまり発光部１０４は、レーザー光を蛍光に変換する波長変換部材であると言える。
【００１７】
本実施の形態の場合、発光部１０４は白色光を放射するものであり、レーザー光Ｌの照射によって赤色を発光する第一蛍光体、青色を発光する第二蛍光体、緑色を発光する第三蛍光体の３種類の蛍光体が適切な割合で含まれている。
【００１８】
蛍光体の種類や特性は特に限定されるものではないが、比較的高い出力のレーザー光Ｌが励起光となるため、熱耐性が高いものが望ましい。
【００１９】
また、蛍光体を分散状態で保持する基材の種類は特に限定されるものではないが、透明性が高ければ、白色光の放射効率も高くなるため好ましく、また、比較的高い出力のレーザー光Ｌが入射するため、耐熱性の高いものが好ましい。
【００２０】
また、発光部１０４には、レーザー光Ｌを蛍光体に効率よく照射するための機能膜、発光した可視光を効率よく放射するための機能膜などを備えていてもかまわない。
【００２１】
レンズ１０１は、発光部１０４に対しレーザー光Ｌが照射される側（本実施の形態では光学系１０５が配置される側）とは反対側に配置され、発光部１０４から放射される光（可視光Ｖ）の配光を制御する配光制御構造１１１を有する部材である。レンズ１０１は、レーザー光Ｌの光軸Ａが通過する部分、および、その近傍に、レーザー光Ｌを散乱する構造である光散乱構造１１２を一体に備えている。なお、光散乱構造１１２は、配光制御構造１１１と比較して小さな構造であるため、図１、図２には光散乱構造１１２は、具体的に図示されていない。
【００２２】
レンズ１０１を構成する材料は、発光部１０４から放射される可視光Ｖが透過するものであれば特に制限されるものではないが、配光制御構造１１１と光散乱構造１１２とを一体に成形できるものが好ましい。レンズ１０１を構成する材料としては例えば、アクリル、または、ポリカーボネート等の樹脂材料、または、ガラス材料などを例示することができる。
【００２３】
また、レンズ１０１は、照明装置１００のうち筐体１０２とともに比較的大きな部材、少なくとも発光部１０４よりは大きな部材であり、また、照明装置１００の外部から視認可能な位置に配置されている。従って、照明装置１００からレンズ１０１が脱落した場合は、その事実を容易に看取することができ、また、レンズ１０１に欠けやひびなどが発生した場合でも、その事実を容易に看取することができるものである。
【００２４】
また、レンズ１０１は、比較的大型の部材であるため、筐体１０２に強固に取り付けることが可能であり、レンズ１０１の筐体１０２から脱落する可能性を可及的に低下刺せることが可能である。
【００２５】
図３は、レンズの配光制御構造を示す断面図である。
【００２６】
同図に示すように、配光制御構造１１１は、発光部１０４から放射方向に拡がる可視光を混色し、また、照明装置１００として所望の広がりのある光（平行光も含む）にするためのものであり、複数の構造単位１１５が光軸Ａと交差（直交含む）する面上に並べて配置された構造となっている。ここで、構造単位１１５とは、配光制御構造１１１を構成している要素の一つである。また本実施の形態の場合、配光制御構造１１１を構成する構造単位１１５は、相互に同一形状、または、相似形状となっている。
【００２７】
本実施の形態の場合、配光制御構造１１１は、光軸Ａに近い領域である屈折領域１１６に第一構造単位１１３を有し、光軸Ａに対して屈折領域１１６よりも遠い領域である反射領域１１７に第二構造単位１１４を有している。
【００２８】
屈折領域１１６とは、当該領域に配置される第一構造単位１１３が発光部１０４から放射される可視光Ｖを主として屈折によって配光制御する領域である。
【００２９】
反射領域１１７とは、当該領域に配置される第二構造単位１１４が発光部１０４から放射される可視光Ｖを主として反射（全反射）によって配光制御する領域である。
【００３０】
なお、第一構造単位１１３の面積、つまり、光軸Ａの方向に沿ってレンズ１０１の第一構造単位１１３を見た場合の第一構造単位１１３が占める面積、いわゆる平面視における面積は、第二構造単位１１４の面積よりも小さい。これにより効果的に配光を制御することができ、レンズ１０１から放射される可視光Ｖをほぼ平行光にすることも可能となる。
【００３１】
また本実施の形態の場合、構造単位１１５は、円盤状の基礎部１１０から一体に突出した半球形状の構造である。なお、構造単位１１５の形状は、特に限定されるものではなく、任意の形状を採用しうる。例えば、構造単位１１５の形状は、基礎部１１０の表面から陥凹した形状でもよく、凸形状と凹形状とを組み合わせてもかまわない。また、構造単位１１５の形状は、円錐や三角錐、四角錐など任意の形状を採用することができる。また、配光制御構造１１１は、異なる形状の構造単位１１５が混在した状態で構成されてもかまわない。
【００３２】
図４は、レンズの光散乱構造を示す断面図である。
【００３３】
光散乱構造１１２は、発光部１０４が割れたり筐体１０２から脱落したりした場合などにおいて、レンズ１０１に到達したコヒーレントなレーザー光を人間の目に影響のない程度にまで拡散させ、照明装置１００の安全性を向上させるためのものである。光散乱構造１１２は、同図に示すように、光軸Ａと交差（直交含む）し光軸Ａが通過する面上に構造単位が並べて配置された構造となっている。ここで、光散乱構造１１２が配置される領域を散乱領域１１８とし、散乱領域１１８に配置される構造単位を第三構造単位１１９として説明する。
【００３４】
光散乱構造１１２は、第三構造単位１１９が周期的に配置され回折格子を形成する構造や、第三構造単位１１９が非周期的（ランダム）に配置された構造を例示することができる。また、隣接する第三構造単位１１９間の距離は、周期構造、および、非周期構造のいずれの場合においてもミクロンオーダーとなっている。これにより、発光部１０４が放射する可視光Ｖよりも波長の短いレーザー光Ｌを人間の目に影響のない程度にまで拡散させることが可能となる。
【００３５】
具体的には、光散乱構造１１２の隣接する第三構造単位１１９間の距離は、配光制御構造１１１における隣接する第一構造単位１１３間や隣接する第二構造単位１１４間の距離の１００分の１以下となっている。また、光散乱構造１１２が周期的な構造である場合、隣接する第三構造単位１１９間の距離（ピッチ）は５０ミクロン以下が好ましい。また、光散乱構造１１２が非周期的な構造である場合、隣接する第三構造単位１１９間の距離は最大でも５００ミクロン以下であり、平均は１ミクロン以上１００ミクロン以下が好ましい。
【００３６】
第三構造単位１１９の形状は、特に限定されるものではなく、球面や多項式曲線に基づく面を備えた立体形状、三角柱、多角柱、三角錐、多角錘などの凹形状や凸形状を例示することができる。また、全ての第三構造単位１１９が同じ形状である必要はなく、相互に異なる形状であってもかまわない。
【００３７】
本実施の形態の場合、第三構造単位１１９は、円盤状の基礎部１１０から一体に突出した半球形状であり、第一構造単位１１３、および、第二構造単位１１４突出する基礎部１１０の面と同じ面に設けられている。
【００３８】
散乱領域１１８は、発光部１０４が筐体１０２から脱落した場合において、レーザー光がレンズ１０１に照射される領域を含む大きさ、および、位置に存在する必要がある。例えば、図１４に示すように、散乱領域１１８の直径をａ、光学系１０５がない場合において、光ファイバー２００の光出射端から散乱領域１１８までの距離をＸ、光ファイバー２００の光出射端から出射される光の発散角をθとした場合、散乱領域１１８の大きさは、a≧Ｘ・ｔａｎθの式を満たす必要がある。
【００３９】
なお、本実施の形態の場合のように、光学系１０５を備える場合などは、前記式を満たす必要はなく、発光部１０４がないとした場合に、光散乱構造１１２に到達するレーザー光の全てを覆うように散乱領域１１８を設定すれば良い。
【００４０】
筐体１０２は、図１、図２に示すように、発光部１０４、および、光学系１０５を収容し、一方の端部にレンズ１０１が取り付けられ、他方の端部にファイバー取付部１０６が取り付けられる箱状の構造部材である。本実施の形態の場合、筐体１０２は、円筒状の外殻部１２１と、発光部１０４を保持し発光部１０４から放射される光をレンズ１０１方向に反射させる内殻部１２２とを備えている。
【００４１】
また、筐体１０２は、レーザー光Ｌの光路を覆う部材である。本実施の形態の場合筐体１０２の内周面には、レーザー光Ｌを吸収する部材、または、構造が設けられている（図示省略）。
【００４２】
ここで、レーザー光を吸収する部材とは、例えばレーザー光が青色であった場合、青色を吸収する色素を備えた部材である。また、レーザー光を吸収する構造とは、細かな凹凸が内周面に設けられることによりレーザー光を乱反射させて消滅させる構造などである。これにより、レーザー光Ｌの光軸Ａが不本意にずれた場合でも、照明装置１００の安全性を高い状態で維持することが可能となる。
【００４３】
光学系１０５は、入射したレーザー光Ｌを発光部１０４において集光するように設定されたレンズ群などである。
【００４４】
なお、照明装置１００の使用目的により光学系１０５の種類は、適宜選択されるものであり、照明装置１００が光学系１０５を備えない場合もある。
【００４５】
ファイバー取付部１０６は、照明装置１００とは別体の光源装置２０２（図１０参照）から発せられたレーザー光を伝送する光ファイバー２００を所定の光軸となるように筐体１０２に取り付ける部材である。ファイバー取付部１０６により、レーザー光Ｌの光軸Ａが散乱領域１１８を通過するように光ファイバー２００を取り付けることが可能となる。
【００４６】
［照明装置の使用態様］
次に、上記構成の照明装置１００の使用態様を具体的に説明する。
【００４７】
本実施の形態の場合、照明装置１００は、図１０に示すように、建築物２０１の天井などに取り付けられて室内を照らす装置として使用されている。また、建築物２０１の外には、光源装置２０２が備えられており、光源装置２０２から発せられたレーザー光は、建築物２０１の外部に配線された光ファイバー２００により照明装置１００にまで伝送されている。
【００４８】
光源装置２０２は、レーザー光を発生させ、光ファイバー２００を用いて複数の照明装置１００に対しレーザー光を供給する装置である。具体的に例えば、光源装置２０２は、青紫〜青色（４３０〜４９０ｎｍ）の波長のレーザー光を放射する半導体レーザー素子を複数個備えている。このように、半導体レーザー素子を１箇所に配置することで、半導体レーザー素子を冷却する冷却装置を集中して配置することができ、冷却効率を高めることができると共に、排熱などを水の加温などに利用することが可能となる。
【００４９】
光源装置２０２から放射されたレーザー光は、光ファイバー２００を介して伝送され、図２に示す様に、光ファイバー２００の端部から放射されたレーザー光Ｌが照明装置１００内に導入される。
【００５０】
そして、光学系１０５を通過したレーザー光Ｌは、筐体１０２内部の空気中を通過して発光部１０４に照射される。
【００５１】
発光部１０４では、照射されたレーザー光を励起光として複数種類の蛍光体により複数波長の蛍光が放射され、全体として白色に看取できる光が照明装置１００の外部に向かって放射される。
【００５２】
通常の使用態様において、照明装置１００から放射される光は、配光制御構造１１１によって所望の配光制御される、例えば平行光となるように制御される。ここで、配光制御構造１１１の中央部に光散乱構造１１２が存在しているが、発光部１０４から放射される光に対する光散乱構造１１２の影響は小さく、照明装置１００から放射される可視光Ｖについては光散乱構造１１２は無視できる。
【００５３】
次に、不本意な衝撃が照明装置１００に発生した場合や経年劣化などにより発光部１０４が割れたり、内殻部１２２から脱落することにより、図５に示すように、レーザー光Ｌが直接レンズ１０１に到達した場合でも、光散乱構造１１２がレーザー光Ｌを回折し、また、散乱させるため、例えば人が照明装置１００をのぞき込んだような場合においても、レーザー光Ｌが人間の目に与える影響を低減することが可能となる。
【００５４】
［効果］
以上の照明装置１００によれば、レーザー光が発光部１０４を通過することなく直接レンズ１０１に到達する場合でも、レーザー光の光軸上およびその周辺に光散乱構造１１２を備えているため、コヒーレントなレーザー光が照明装置１００外に放射されることを防止し、照明装置１００の安全性を向上させることが可能となる。
【００５５】
また、レーザー光の光軸上に配置される部材の内、最大の部材であるレンズ１０１に光散乱構造１１２が一体に設けられているため、レンズ１０１を筐体１０２に強固に固定する、つまり、光散乱構造１１２をレンズ１０１を介して筐体１０２に強固に固定することができるため、光散乱構造１１２が不本意に筐体１０２から脱落する可能性を低下させることが可能となる。
【００５６】
また、レンズ１０１が照明装置１００の外部から容易に看取できる位置に配置されているため、レンズ１０１が筐体１０２から脱落したり、レンズ１０１に欠けやひびが発生している場合には、使用者その事実をすぐに看取し、その事実に対応することができる。したがって、光散乱構造１１２がレーザー光の光軸から脱落したことをすぐに判別でき、発光部１０４と光散乱構造１１２の両方が筐体１０２から脱落する状態を未然に防ぐことが可能となる。
【００５７】
さらに、本実施の形態の照明装置１００は、外部の光源装置２０２から伝送されるレーザー光を利用するものであり、自身は光源を備えていないため、照明装置１００自体に半導体レーザー素子などを冷却するための冷却装置などが不要となり、照明装置１００に電力を供給する必要もない。従って、照明装置１００を小型軽量化することができ、安価な照明装置を実現することができる。
【００５８】
（その他の実施の形態）
以上、本発明に係る照明装置１００について、上記実施の形態に基づいて説明したが、本発明は、上記の実施の形態に限定されるものではない。
【００５９】
上記実施の形態では、照明装置１００の外部に半導体レーザー素子を備えた光源装置２０２が設けられ、光ファイバー２００によりレーザー光を伝送して照明装置１００内に導入していたが、この態様に限定されるものではない。例えば、図６に示すように、照明装置１００は、筐体１０２の端部に光軸Ａのレーザー光を放射することのできる半導体レーザー素子１４８を備えていてもかまわない。
【００６０】
また、レンズ１０１の片方の面に配光制御構造１１１を備え、もう一方の面には光散乱構造１１２を備えてもよい。また、図６に示すように、レーザー光Ｌの光軸Ａ上に光散乱構造１１２と配光制御構造１１１とが並んで配置されていてもよい。これにより、照明装置１００の安全性を維持しながら可視光Ｖの配光制御を容易に行うことができる。
【００６１】
また、レンズ１０１に設ける構造単位１１５の面積を光軸Ａから遠ざかるに伴い段階的に変化させるものとして説明したが、図７に示すように構造単位１１５の面積Ｓは、光軸Ａからの距離Ｄにより連続的に変化してもかまわない。また、段階的な変化と連続的な変化とを組み合わせてもかまわない。
【００６２】
また、屈折領域１１６と散乱領域１１８とが一部重複していてもかまわない。つまり、配光制御構造１１１の構造単位の表面に光散乱構造１１２の構造単位が複数配置されたものでもかまわない。
【００６３】
また、構造単位１１５を板状の基礎部１１０の表面に均等に配置したが、ランダムに配置してもかまわない。
【００６４】
また、レンズ１０１の形状は、平板に構造単位を設けるばかりでなく、図８や図９に示す様な所望する配光に基づき任意に設定することができる。
【００６５】
また、図１１に示すように、レーザー光が光散乱構造１１２を通過した際に所定のメッセージパターンや図形などを床面等に照射できる構造を、光散乱構造１１２の中に賦形してもかまわない。具体的には、光散乱構造１１２の一部に細かい回折格子の賦形形状を配することにより実現できる。これにより、発光部１０４の脱落や割れなどの発生を視覚的に報知することができるため、レーザー光を直接見るような自体の発生を回避することができる照明装置１００の安全性をより高めることが可能となる。
【００６６】
また、図１２に示すように、光散乱構造１１２は、レンズ１０１に設ける光散乱構造１１２の構造単位１１９の面積Ｓを光軸Ａに近づくに伴い段階的に小さくなるように変化させた構造でもかまわない。
【００６７】
また、図１３に示すように、光散乱構造１１２は、レンズ１０１に設ける光散乱構造１１２の構造単位１１９の面積Ｓを光軸Ａに近づくに伴い連続的に小さくなるように変化させた構造でもかまわない。
【００６８】
また、上記実施の形態のように、レンズ１０１の一方の面に配光制御構造１１１、および、光散乱構造１１２を備えるばかりでなく、図１４に示すように、レンズ１０１の片方の面に配光制御構造１１１を備え、もう一方の面に光散乱構造１１２を備えても構わない。
【００６９】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７０】
Ａ  光軸
Ｌ  レーザー光
１００  照明装置
１０１  レンズ
１０４  発光部
１１１  配光制御構造
１１２  光散乱構造
１１９  構造単位１１９
【図１】
2017079203.tif 000003
【図２】
2017079203.tif 000004
【図３】
2017079203.tif 000005
【図４】
2017079203.tif 000006
【図５】
2017079203.tif 000007
【図６】
2017079203.tif 000008
【図７】
2017079203.tif 000009
【図８】
2017079203.tif 000010
【図９】
2017079203.tif 000011
【図１０】
2017079203.tif 000012
【図１１】
2017079203.tif 000013
【図１２】
2017079203.tif 000014
【図１３】
2017079203.tif 000015
【図１４】
2017079203.tif 000016